Podtech/llm-jp-corpus-v4-ja_patent huggingface dataset:
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2020514417.tif 000001
（式中、
Ｒ１は、Ｈおよび低級アルキルからなる群から選択され、
Ｒ２は、Ｈ、低級アルキル、アリールおよびヘテロアリールからなる群から選択され、
Ｒ３は、Ｈ、ハロおよびアルコキシからなる群から選択され、
またはＲ２およびＲ３は縮合環を一緒に形成し、
Ｒ４およびＲ５は、アルキル、アリール、シクロアルキル、ヘテロシクロおよびヘテロアリールからなる群からそれぞれ独立して選択される）
の化合物
またはその医薬的に許容される塩もしくはプロドラッグ。
【請求項２】
式（Ｉ）（ａ）：
【化２】
2020514417.tif 000002
（式中、
Ｒ１、Ｒ２およびＲ３は上で定義した通りであり、
Ｄ１、Ｄ２、Ｄ３、Ｄ４およびＤ５は、Ｈ、ハロ、アルキル（例えば、低級アルキル）、アシル、アルコキシ（例えば、メトキシおよびエトキシ）、アリール、ヘテロアリール
、アミノ、アミド、ニトロ、ヒドロキシル、チオール、スルホン、スルホキシド、ニトリル、ニトロおよびハロアルキル（例えば、トリフルオロメチル（−ＣＦ３）などのフルオロアルキル）からなる群からそれぞれ独立して選択され、
またはＤ１およびＤ２、Ｄ２およびＤ３、Ｄ３およびＤ４もしくはＤ４およびＤ５は、
任意選択的に置換された、縮合環（例えば、シクロヘキサンまたはシクロヘキセン縮合環）を一緒に形成する）
の化合物である、請求項１に記載の化合物
またはその医薬的に許容される塩もしくはプロドラッグ。
【請求項３】
Ｄ１、Ｄ２、Ｄ３、Ｄ４およびＤ５のうちの少なくとも１つが低級アルキルである、請求項２に記載の化合物
またはその医薬的に許容される塩。
【請求項４】
Ｄ３が低級アルキルである、請求項２に記載の化合物
またはその医薬的に許容される塩。
【請求項５】
Ｄ３がｎ−プロピルまたはｎ−ブチルである、請求項４に記載の化合物
またはその医薬的に許容される塩。
【請求項６】
式（Ｉ）（ａ）（１）：
【化３】
2020514417.tif 000003
の化合物である、請求項５に記載の化合物
またはその医薬的に許容される塩。
【請求項７】
Ｄ１、Ｄ２、Ｄ３、Ｄ４およびＤ５のうちの少なくとも１つがヘテロアリールである、請求項２に記載の化合物
またはその医薬的に許容される塩。
【請求項８】
Ｄ２がヘテロアリールである、請求項２に記載の化合物
またはその医薬的に許容される塩。
【請求項９】
Ｄ２が２−アミノイミダゾールである、請求項８に記載の化合物
またはその医薬的に許容される塩。
【請求項１０】
式（Ｉ）（ａ）（２）：
【化４】
2020514417.tif 000004
の化合物である、請求項９に記載の化合物
またはその医薬的に許容される塩。
【請求項１１】
Ｄ１、Ｄ２、Ｄ３、Ｄ４およびＤ５のうちの少なくとも１つがハロである、請求項２に記載の化合物
またはその医薬的に許容される塩。
【請求項１２】
Ｄ２およびＤ４がそれぞれハロである、請求項２に記載の化合物
またはその医薬的に許容される塩。
【請求項１３】
Ｄ２およびＤ４がそれぞれＢｒである、請求項１２に記載の化合物
またはその医薬的に許容される塩。
【請求項１４】
式（Ｉ）（ａ）（３）：
【化５】
2020514417.tif 000005
の化合物である、請求項１３に記載の化合物
またはその医薬的に許容される塩。
【請求項１５】
Ｄ１、Ｄ２、Ｄ３、Ｄ４およびＤ５のうちの少なくとも１つがハロであり、
Ｄ１、Ｄ２、Ｄ３、Ｄ４およびＤ５のうちの少なくとも１つがハロアルキルである、請求項２に記載の化合物
またはその医薬的に許容される塩。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
一般式：
【化１】
2020514418.tif 000001
又はその薬学的に許容可能な塩を含み、
各Ｒは同一であっても異なっていてもよく、水素、炭素、窒素、硫黄、酸素、フッ素、塩素、臭素、ヨウ素、カルボキシル、アルカン、環状アルカン、アルカン系誘導体、アルケン、環状アルケン、アルケン系誘導体、アルキン、アルキン系誘導体、ケトン、ケトン系誘導体、アルデヒド、アルデヒド系誘導体、カルボン酸、カルボン酸系誘導体、エーテル、エーテル系誘導体、エステル及びエステル系誘導体、アミン、アミノ系誘導体、アミド、アミド系誘導体、単環式又は多環式アレーン、ヘテロアレーン、アレーン系誘導体、ヘテロアレーン系誘導体、フェノール、フェノール系誘導体、安息香酸、安息香酸系誘導体、並びに１つ以上のミトコンドリア標的化信号からなる群から選択される、ミトリボシン。
【請求項２】
前記ミトリボシンは：
【化２】
2020514418.tif 000002
のうちの少なくとも１つを含むミトリボサイクリン、又はその薬学的に許容可能な塩である、請求項１に記載のミトリボシン。
【請求項３】
前記ミトリボシンは、抗老化活性を有する、請求項１に記載のミトリボシン。
【請求項４】
前記ミトリボシンは、放射線増感活性を有する、請求項１に記載のミトリボシン。
【請求項５】
前記ミトリボシンは、光増感活性を有する、請求項１に記載のミトリボシン。
【請求項６】
前記ミトリボシンは、癌細胞を化学療法剤に対して感作する、請求項１に記載のミトリボシン。
【請求項７】
前記ミトリボシンは、癌細胞を天然物質に対して感作する、請求項１に記載のミトリボシン。
【請求項８】
前記ミトリボシンは、癌細胞をカロリー制限に対して感作する、請求項１に記載のミトリボシン。
【請求項９】
前記ミトリボシンは、ミトコンドリアリボソームの大サブユニットに結合する、請求項１に記載のミトリボシン。
【請求項１０】
前記ミトリボシンは、ミトコンドリアリボソームの小サブユニットに結合する、請求項１に記載のミトリボシン。
【請求項１１】
前記ミトリボシンは、カチオン性化合物、トリフェニルホスホニウム、グアニジニウム系部分、コリンエステル、及びペプチドからなる群から選択される、少なくとも１つの標的化信号を含む、請求項１に記載のミトリボシン。
【請求項１２】
癌、微生物感染及び老化関連状態のうちの少なくとも１つの治療用医薬を製造するための薬学的有効量のミトリボシンの使用であって、
前記ミトリボシンは：
（ａ）一般式：
【化３】
2020514418.tif 000003
を有するミトリボサイクリン、又はその薬学的に許容可能な塩を含み、
各Ｒは同一であっても異なっていてもよく、水素、炭素、窒素、硫黄、酸素、フッ素、塩素、臭素、ヨウ素、カルボキシル、アルカン、環状アルカン、アルカン系誘導体、アルケン、環状アルケン、アルケン系誘導体、アルキン、アルキン系誘導体、ケトン、ケトン系誘導体、アルデヒド、アルデヒド系誘導体、カルボン酸、カルボン酸系誘導体、エーテル、エーテル系誘導体、エステル及びエステル系誘導体、アミン、アミノ系誘導体、アミド、アミド系誘導体、単環式又は多環式アレーン、ヘテロアレーン、アレーン系誘導体、ヘテロアレーン系誘導体、フェノール、フェノール系誘導体、安息香酸、安息香酸系誘導体、並びに１つ以上のミトコンドリア標的化信号からなる群から選択されるか、または、（ｂ）  一般式：
【化４】
2020514418.tif 000004
のうちの少なくとも１つの一般式、又はその薬学的に許容可能な塩を含む、
ミトリボシンの使用。
【請求項１３】
癌の治療、細菌感染の治療、病原性酵母感染の治療、老化の治療、男性避妊薬、精子静止剤及び精子固定化剤のうちの少なくとも１つのための医薬組成物であって、
前記組成物は、有効成分として少なくとも１つのミトリボシンを含有し、
前記ミトリボシンは、
（ａ）一般式：
【化５】
2020514418.tif 000005
を有するミトリボサイクリン、又はその薬学的に許容可能な塩を含み、
各Ｒは同一であっても異なっていてもよく、水素、炭素、窒素、硫黄、酸素、フッ素、塩素、臭素、ヨウ素、カルボキシル、アルカン、環状アルカン、アルカン系誘導体、アルケン、環状アルケン、アルケン系誘導体、アルキン、アルキン系誘導体、ケトン、ケトン系誘導体、アルデヒド、アルデヒド系誘導体、カルボン酸、カルボン酸系誘導体、エーテル、エーテル系誘導体、エステル及びエステル系誘導体、アミン、アミノ系誘導体、アミド、アミド系誘導体、単環式又は多環式アレーン、ヘテロアレーン、アレーン系誘導体、ヘテロアレーン系誘導体、フェノール、フェノール系誘導体、安息香酸、安息香酸系誘導体、並びに１つ以上のミトコンドリア標的化信号からなる群から選択されるか、
（ｂ）一般式：
【化６】
2020514418.tif 000006
のうちの少なくとも１つの一般式、又はその薬学的に許容可能な塩を含むか、または、
（ｃ）ミトリボサイクリン、ミトリボマイシン、ミトリボスポリン、及びミトリボフロキシンのうちの少なくとも１つを含む、医薬組成物。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
細胞外チオールイソメラーゼ阻害剤化合物を含む、１つまたは複数の細胞外チオールイソメラーゼの活性により影響される疾患または状態を治療または予防する方法において使用するための医薬組成物であって、
前記細胞外チオールイソメラーゼ阻害剤化合物が、ザフィルルカスト、モンテルカスト、アロセトロン、バルサラジド、ベンセラジド、ブタクラモール、レバドパ、メサラジン、オクスカルバゼピン、これらの薬学的に許容される塩、プロドラッグ、および／または固体状態形態であり、
前記方法が、治療有効量の前記細胞外チオールイソメラーゼ阻害剤化合物を、それを必要とする患者に投与することを含む、医薬組成物。
【請求項２】
前記細胞外チオールイソメラーゼの前記１つまたは複数のチオールイソメラーゼが、プロテインジスルフィドイソメラーゼ（ＰＤＩ）、チオレドキシン、ＥＲｐ５、ＥＲｐ５７、ＥＲｐ７２、またはこれらの組合せである、請求項１に記載の医薬組成物。
【請求項３】
前記細胞外チオールイソメラーゼ阻害剤化合物がザフィルルカストである、請求項１または２に記載の医薬組成物。
【請求項４】
前記疾患または状態が、動脈血栓症、静脈血栓症、血栓性疾患、がん、感染性疾患、ウイルス性疾患、免疫障害、炎症、神経学的疾患、神経変性障害、またはこれらの組合せである、請求項１〜３のいずれか１項に記載の医薬組成物。
【請求項５】
前記疾患または状態が血栓症または血栓性疾患である、請求項１〜３のいずれか１項に記載の医薬組成物。
【請求項６】
前記血栓性疾患が、急性心筋梗塞、安定狭心症、不安定狭心症、冠動脈形成術および／もしくはステント留置後の急性閉塞、一過性虚血発作、脳血管疾患、卒中、末梢血管疾患、胎盤不全、心房細動、深静脈血栓症、肺塞栓症、またはこれらの組合せである、請求項５に記載の医薬組成物。
【請求項７】
前記疾患または状態ががんである、請求項１〜３のいずれか１項に記載の医薬組成物。
【請求項８】
前記がんが、乳がん、結腸がん、大腸がん、神経膠腫、血液がん、喉頭がん、肺がん、リンパ腫、黒色腫、神経芽腫、卵巣がん、前立腺がん、またはこれらの組合せである、請求項７に記載の医薬組成物。
【請求項９】
薬学的に許容される担体をさらに含む、請求項１〜８のいずれか１項に記載の医薬組成物。
【請求項１０】
前記細胞外チオールイソメラーゼ阻害剤化合物が剤形として処方される、請求項１〜９のいずれか１項に記載の医薬組成物。
【請求項１１】
前記細胞外チオールイソメラーゼ阻害剤化合物が錠剤またはカプセルとして配合される、請求項１０に記載の医薬組成物。
【請求項１２】
経口的に、局所的に、非経口的に、吸入もしくはスプレーにより、舌下に、経皮的に、頬側投与を介して、または直腸内に投与される、請求項１〜１０のいずれか１項に記載の医薬組成物。
【請求項１３】
前記患者に少なくとも１つの追加の治療剤を提供することをさらに含む、請求項１〜１２のいずれか１項に記載の医薬組成物。
【請求項１４】
前記追加の治療剤が、抗血栓剤、抗凝固剤、化学療法剤、抗ウイルス剤、または抗炎症剤である、請求項１３に記載の医薬組成物。
【請求項１５】
ザフィルルカストを含む、患者において血栓症、血栓性疾患、血小板凝集、フィブリン生成、またはこれらの組合せを予防または治療する方法に用いるための医薬組成物であって、
前記方法が、治療有効量の前記ザフィルルカストを、それを必要とする前記患者に投与することを含む、医薬組成物。
【請求項１６】
動脈血栓症および静脈血栓症の予防または治療のための、請求項１５に記載の医薬組成物。
【請求項１７】
前記方法が、１日に１回、２回、または３回投与される、約１０〜約２００ｍｇ、具体的には約２０〜約１７５ｍｇ、より具体的には約４０〜約１５０ｍｇ、およびよりいっそう具体的には約６０〜約１２５ｍｇの１日当たりの総用量のザフィルルカストを投与することを含む、請求項１５または１６に記載の医薬組成物。
【請求項１８】
細胞において細胞外チオールイソメラーゼのチオールイソメラーゼを阻害する方法に用いるための医薬組成物であって、
前記医薬組成物が、ザフィルルカスト、モンテルカスト、アロセトロン、バルサラジド、ベンセラジド、ブタクラモール、レバドパ、メサラジン、オクスカルバゼピン、これらの薬学的に許容される塩、プロドラッグ、および／または固体状態形態を含み、
前記方法が、前記細胞を有効量のザフィルルカスト、モンテルカスト、アロセトロン、バルサラジド、ベンセラジド、ブタクラモール、レバドパ、メサラジン、オクスカルバゼピン、これらの薬学的に許容される塩、プロドラッグ、および／または固体状態形態と接触させることを含む、医薬組成物。
【請求項１９】
前記細胞外チオールイソメラーゼの前記チオールイソメラーゼが、プロテインジスルフィドイソメラーゼ（ＰＤＩ）、チオレドキシン、ＥＲｐ５、ＥＲｐ５７、ＥＲｐ７２、またはこれらの組合せである、請求項１８に記載の医薬組成物。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
ドセタキセル誘発性好中球減少症の治療のための、プリナブリンを含む医薬組成物であって、２１日間のドセタキセル治療サイクルにおいて単回投与量のプリナブリンが投与されるものである、医薬組成物。
【請求項２】
ドセタキセル誘発性好中球減少症の治療のための、プリナブリンを含む医薬組成物であって、ドセタキセルの投与後２時間未満にプリナブリンが投与されるものである、医薬組成物。
【請求項３】
単回投与量のプリナブリン量が、１ｍｇ／ｍ２（体表面積）超であり、かつ４０ｍｇ／ｍ２（体表面積）未満である、請求項１または２に記載の医薬組成物。
【請求項４】
ドセタキセル誘発性好中球減少症の治療のための、プリナブリンを含む医薬組成物であって、２０ｍｇ／ｍ２（体表面積）未満の投与量でプリナブリンが投与されるものである、医薬組成物。
【請求項５】
ドセタキセル誘発性好中球減少症の治療のための、プリナブリンを含む医薬組成物であって、２１日間のドセタキセル治療サイクルにおいて単回投与量のプリナブリンが投与されるものであり、投与されるプリナブリン量が治療サイクル当たり３０ｍｇ／ｍ２（体表面積）未満である、医薬組成物。
【請求項６】
前記プリナブリンが、ドセタキセル投与後１時間未満に投与されるものである、請求項１〜５のいずれか一項に記載の医薬組成物。
【請求項７】
前記プリナブリンが、ドセタキセル投与後３０分に投与されるものである、請求項１〜５のいずれか一項に記載の医薬組成物。
【請求項８】
ドセタキセル、ドキソルビシン、およびシクロホスファミド（ＴＡＣ）またはドセタキセルおよびシクロホスファミド（ＴＣ）の化学療法誘発性好中球減少症の治療のための、
プリナブリンを含む医薬組成物であって、２１日間の治療サイクルにおいて単回投与量のプリナブリンが投与されるものである、医薬組成物。
【請求項９】
ドセタキセル、ドキソルビシン、およびシクロホスファミド（ＴＡＣ）またはドセタキセルおよびシクロホスファミド（ＴＣ）の化学療法誘発性好中球減少症の治療のための、プリナブリンを含む医薬組成物であって、ドセタキセル、ドキソルビシン、およびシクロホスファミド（ＴＡＣ）またはドセタキセルおよびシクロホスファミド（ＴＣ）の化学療法の投与後２時間未満にプリナブリンが投与されるものである、医薬組成物。
【請求項１０】
単回投与量のプリナブリン量が、１ｍｇ／ｍ２（体表面積）超であり、かつ４０ｍｇ／ｍ２（体表面積）未満である、請求項８または９に記載の医薬組成物。
【請求項１１】
ドセタキセル、ドキソルビシン、およびシクロホスファミド（ＴＡＣ）またはドセタキセルおよびシクロホスファミド（ＴＣ）の化学療法誘発性好中球減少症の治療のための、プリナブリンを含む医薬組成物であって、２０ｍｇ／ｍ２（体表面積）未満の投与量でプリナブリンが投与されるものである、医薬組成物。
【請求項１２】
ドセタキセル、ドキソルビシン、およびシクロホスファミド（ＴＡＣ）またはドセタキセルおよびシクロホスファミド（ＴＣ）の化学療法誘発性好中球減少症の治療のための、プリナブリンを含む医薬組成物であって、２１日間の治療サイクルにおいて単回投与量のプリナブリンが投与されるものであり、投与されるプリナブリン量が、治療サイクル当たり３０ｍｇ／ｍ２（体表面積）未満である、医薬組成物。
【請求項１３】
前記プリナブリンが、前記ＴＡＣまたはＴＣの化学療法後１時間未満に投与されるものである、請求項８〜１２のいずれか一項に記載の医薬組成物。
【請求項１４】
前記プリナブリンが、前記ＴＡＣまたはＴＣの化学療法後３０分に投与されるものである、請求項８〜１３のいずれか一項に記載の医薬組成物。
【請求項１５】
前記好中球減少症が、グレード３または４の好中球減少症である、請求項１〜１４のいずれか一項に記載の医薬組成物。
【請求項１６】
前記好中球減少症が、グレード４の好中球減少症である、請求項１〜１５のいずれか一項に記載の医薬組成物。
【請求項１７】
グレード４の好中球減少症の罹患率を少なくとも５％低減させるものである、請求項１〜１６のいずれか一項に記載の医薬組成物。
【請求項１８】
グレード４の好中球減少症持続期間を少なくとも２倍低減させるものである、請求項１〜１７のいずれか一項に記載の医薬組成物。
【請求項１９】
化学療法誘発性好中球減少症の治療のための、プリナブリンおよび１つ以上のＧ−ＣＳＦ製剤を含む医薬組成物。
【請求項２０】
好中球の生存を刺激するための医薬品の製造における、プリナブリンおよび１つ以上のＧ−ＣＳＦ製剤の使用。
【請求項２１】
前記Ｇ−ＣＳＦ製剤が、ペグフィルグラスチムである、請求項１９に記載の医薬組成物。
【請求項２２】
前記Ｇ−ＣＳＦ製剤の投与量が、１ｍｇ〜１０ｍｇの範囲である、請求項１９または２１のいずれか一項に記載の医薬組成物。
【請求項２３】
前記ペグフィルグラスチムの投与量が、６ｍｇ未満である、請求項２２に記載の医薬組成物。
【請求項２４】
前記プリナブリンが、前記化学療法の投与後２時間以内に投与されるものである、請求項１９および２１〜２３のいずれか一項に記載の医薬組成物。
【請求項２５】
前記プリナブリンが、前記化学療法の投与後１時間以内に投与されるものである、請求項１９および２１〜２４のいずれか一項に記載の医薬組成物。
【請求項２６】
前記Ｇ−ＣＳＦ製剤が、前記化学療法の投与後少なくとも２４時間に投与されるものである、請求項１９および２１〜２５のいずれか一項に記載の医薬組成物。
【請求項２７】
２１日間の治療サイクルにおいて単回投与量のプリナブリンが投与されるものである、請求項１９および２１〜２６のいずれか一項に記載の医薬組成物。
【請求項２８】
前記プリナブリンが、１ｍｇ／ｍ２（体表面積）〜５０ｍｇ／ｍ２（体表面積）の範囲の投与量で投与されるものである、請求項１９および２１〜２７のいずれか一項に記載の医薬組成物。
【請求項２９】
前記プリナブリンが、２０ｍｇ／ｍ２（体表面積）未満の投与量で投与されるものである、請求項１９および２１〜２７のいずれか一項に記載の医薬組成物。
【請求項３０】
１ｍｇ〜４０ｍｇのプリナブリンを含む、医薬組成物。
【請求項３１】
３５ｍｇ未満のプリナブリンを含む、請求項３０に記載の医薬組成物。
【請求項３２】
薬剤的に許容可能な賦形剤をさらに含む、請求項３０または３１に記載の医薬組成物。
【請求項３３】
ドセタキセル、および１ｍｇ〜４０ｍｇのプリナブリンを含む、滅菌容器であって、前記ドセタキセルおよび前記プリナブリンが、２つの個別の滅菌容器で提供される、滅菌容器。
【請求項３４】
前記プリナブリン量が、３５ｍｇ未満である、請求項３３に記載の滅菌容器。
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
重質多核芳香族（ＨＰＮＡ）化合物及びＨＰＮＡ前駆物質を含有する水素化分解ユニット残留分リサイクル流の、ＨＰＮＡ化合物及び前駆物質の含有量を低減するための処理方法であって、
ａ．前記残留分リサイクル流を、吸着容器内で効果的な量の吸着材と接触させて、低減された含有量のＨＰＮＡ化合物及びＨＰＮＡ前駆物質を有する吸着剤処理済み残留分リサイクル流を生成する工程と、
ｂ．吸着剤処理済み残留分リサイクル流を回収し、回収された前記吸着剤処理済み残留分リサイクル流を１つ又は複数のイオン性液体と共に抽出ユニット内へ導入し、所定の時間おいて前記ＨＰＮＡ化合物及びＨＰＮＡ前駆物質を抽出し、抽出ユニット放出流及び処理済み流を生成する工程と、
ｃ．前記抽出ユニットからの、抽出されたＨＰＮＡ化合物及びＨＰＮＡ前駆物質並びに前記１つ又は複数のイオン性液体の混合物を含有する前記放出流を、回収し分離ユニット内へ導入して有機極性溶媒と接触させる工程と、
ｄ．前記混合物を、前記極性溶媒中の前記ＨＰＮＡ化合物及びＨＰＮＡ前駆物質の溶液を形成するのに十分な時間、前記分離ユニット中で維持する工程と、
ｅ．前記分離ユニットから、前記１つ又は複数のイオン性液体を、前記抽出ユニット中での再使用のために回収する工程と、
ｆ．前記ＨＰＮＡ化合物及びＨＰＮＡ前駆物質を含有する溶媒を溶媒回収ユニットに移動させ、前記分離ユニット中での再使用のために、溶媒流を回収する工程と、
ｇ．残存する処理済み流を、前記抽出ユニットから液液分離器へ移動させ、
（ｉ）実質的に低減された含有量のＨＰＮＡ化合物を有する処理済み炭化水素流、
（ｉｉ）残留イオン性液体、並びに
（ｉｉｉ）ＨＰＮＡ化合物及びＨＰＮＡ前駆物質
の分離した流れとして回収する工程と
を含む、方法。
【請求項２】
重質多核芳香族（ＨＰＮＡ）化合物及びＨＰＮＡ前駆物質を含有する水素化分解ユニット残留分リサイクル流の、ＨＰＮＡ化合物及び前駆物質の含有量を低減するための処理方法であって、
ａ．前記残留分リサイクル流を、１つ又は複数のイオン性液体と共に抽出ユニット内へ導入し、所定の時間おいて前記ＨＰＮＡ化合物及びＨＰＮＡ前駆物質を抽出し、抽出ユニット放出流及び処理済み流を生成する工程と、
ｂ．抽出されたＨＰＮＡ化合物及びＨＰＮＡ前駆物質並びに前記１つ又は複数のイオン性液体を含有する前記抽出ユニット放出流を、分離ユニット内へ導入して有機極性溶媒と接触させる工程と、
ｃ．前記分離ユニット中の液体を、前記極性溶媒中の前記ＨＰＮＡ化合物及びＨＰＮＡ前駆物質の溶液を形成するのに十分な時間、混合する工程と、
ｄ．前記分離ユニットから、前記１つ又は複数のイオン性液体を、前記抽出ユニット中での再使用のために回収する工程と、
ｅ．前記ＨＰＮＡ化合物及びＨＰＮＡ前駆物質を含有する溶媒を溶媒回収ユニットに移動させ、前記分離ユニット中での再使用のために、溶媒流を回収する工程と、
ｆ．残存する処理済み流を、前記抽出ユニットから液液分離器へ移動させ、
（ｉ）実質的に低減された含有量のＨＰＮＡ化合物及びＨＰＮＡ前駆物質を有する処理済み炭化水素リサイクル流、
（ｉｉ）残留イオン性液体、並びに
（ｉｉｉ）ＨＰＮＡ化合物及びＨＰＮＡ前駆物質
の分離した流れとして回収する工程と、
ｇ．前記処理済み炭化水素リサイクル流を、効果的な量の吸着材と接触させて、吸着剤処理済み炭化水素リサイクル流を生成する工程と、
ｈ．低減された含有量のＨＰＮＡ化合物を有する吸着剤処理済みリサイクル流を回収する工程と
を含む、方法。
【請求項３】
水素化分解ユニットの新たな供給物が、前記水素化分解ユニット残留分リサイクル流と合わされ、合わされた流れが処理される、請求項１又は２に記載の方法。
【請求項４】
前記１つ又は複数のイオン性液体が、一般式Ｑ＋Ａ−
［式中、Ａ−イオンは、ハロゲン化物アニオン、硝酸イオン、硫酸イオン、リン酸イオン、酢酸イオン、ハロ酢酸イオン、テトラフルオロホウ酸イオン、テトラクロロホウ酸イオン、ヘキサフルオロリン酸イオン、ヘキサフルオロアンチモン酸イオン、フルオロスルホン酸イオン、アルキルスルホン酸イオン、ペルフルオロアルキルスルホン酸イオン、ビス（ペルフルオロアルキルスルホニル）アミド、式Ｃ（ＣＦ３ＳＯ２）３−のトリス−トリフルオロメタンスルホノニルメチリドイオン、非置換アレーンスルホン酸イオン、ハロゲン又はハロアルキル基により置換されたアレーンスルホン酸イオンからなる群から選択され、
Ｑ＋イオンは、Ａ−イオンと液体化合物を形成する、アンモニウムカチオン、ホスホニウムカチオン又はスルホニウムカチオンである］を有する、請求項１又は２に記載の方法。
【請求項５】
前記１つ又は複数のイオン性液体が、Ｎ−ブチル−ピリジニウムヘキサフルオロホスフェート、Ｎ−エチル−ピリジニウムテトラフルオロボレート、ピリジニウムフルオロスルホネート、ブチル−３−メチル−１−イミダゾリウムテトラフルオロボレート、ブチル−３−メチル−１−イミダゾリウムビス−トリフルオロメタン−スルホニルアミド、トリエチルスルホニウムビス−トリフルオロメタン−スルホニルアミド、ブチル−３−メチル−１−イミダゾリウムヘキサフルオロ−アンチモネート、ブチル−３−メチル−１−イミダゾリウムヘキサフルオロホスフェート、ブチル−３−メチル−１−イミダゾリウムトリフルオロアセテート、ブチル−３−メチル−１−イミダゾリウムトリフルオロメチルスルホネート、ブチル−３−メチル−１−イミダゾリウムビス（トリフルオロメチルスルホニル）−アミド、トリメチル−フェニルアンモニウムヘキサフルオロホスフェート、テトラブチルホスホニウムテトラフルオロボレート、及びこれらの混合物からなる群から選択される、請求項４に記載の方法。
【請求項６】
前記抽出ユニットが、２０℃〜２００℃の範囲の温度、１〜３０バールの範囲の圧力、及び１：１〜１０：１の範囲のイオン性液体のＨＰＮＡに対するモル比において動作する、請求項１又は２に記載の方法。
【請求項７】
前記抽出ユニットが、トレーカラム、スプレーカラム、充填塔、回転板抽出器及びパルスカラムからなる群から選択される、請求項１又は２に記載の方法。
【請求項８】
前記吸着材が、充填床又はスラリー床の形態で吸着カラム中にある、請求項１又は２に記載の方法。
【請求項９】
前記吸着カラムが、２０℃〜２００℃の範囲の温度及び１〜３０バールの範囲の圧力において動作する、請求項８に記載の方法。
【請求項１０】
前記吸着材が、アタパルガスクレイ、アルミナ、シリカ、活性炭、天然及び合成のゼオライト、使用済触媒、シリカ−チタニア及びチタニアからなる群から選択される、請求項１又は２に記載の方法。
【請求項１１】
前記有機極性溶媒が、約８．５より大きい全溶解度パラメータを有する、請求項１又は２に記載の方法。
【請求項１２】
前記有機極性溶媒が、トルエン、ベンゼン、キシレン、テトラヒドロフラン、及びこれらの混合物からなる群から選択される、請求項１１に記載の方法。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
ポリアミド組成物であって、
ａ）成分Ａとして少なくとも１種の合成ポリアミド３４．９８〜８９．９８質量％、ならびに
ｂ）成分Ｂとして式Ａ１）、Ａ２）およびＡ３）の化合物ならびにこれらの化合物の２つまたは３つの混合物から選択されるクロム錯体染料０．０１〜１．０質量％
【化１】
2020514488.tif 000001
ｃ）成分Ｃとしてカーボンブラック０．０１〜１質量％、
ｄ）成分Ｄとしてガラス繊維１０〜６５質量％、
ｅ）成分Ｅとして他の追加の物質０〜５０質量％を含み、
指定した量は、合計が１００質量％であり、前記組成物全体に対する量であり、前記組成物は最大で０．０５質量％のニグロシンを含む、ポリアミド組成物。
【請求項２】
前記組成物が、ニグロシンを最大で０．０３質量％、好ましくは最大で０．０１質量％含み、特に好ましくはニグロシンを含まない、請求項１に記載のポリアミド組成物。
【請求項３】
成分ＢおよびＣと共には、他の黒に着色する染料または顔料を含まず、好ましくは他の染料または着色顔料を含まない、請求項１または２に記載のポリアミド組成物。
【請求項４】
成分ＣおよびＤの量が、それぞれ相互に独立して、０．０３〜０．５質量％、好ましくは０．０５〜０．３質量％である、請求項１から３のいずれか一項に記載のポリアミド組成物。
【請求項５】
潤滑剤および熱安定剤が、成分Ｅとして、前記組成物全体に対してそれぞれ０．０５〜１．０質量％の量で使用される、請求項１から４のいずれか一項に記載のポリアミド組成物。
【請求項６】
前記ポリアミドが、ＰＡ４、ＰＡ５、ＰＡ６、ＰＡ７、ＰＡ８、ＰＡ９、ＰＡ１０、ＰＡ１１、ＰＡ１２、ＰＡ４６、ＰＡ６６、ＰＡ６６６、ＰＡ６９、ＰＡ６１０、ＰＡ６１２、ＰＡ９６、ＰＡ９９、ＰＡ９１０、ＰＡ９１２、ＰＡ１２１２、ＰＡ６．Ｔ、ＰＡ９．Ｔ、ＰＡ８．Ｔ、ＰＡ１０．Ｔ、ＰＡ１２．Ｔ、ＰＡ６．Ｉ、ＰＡ８．Ｉ、ＰＡ９．Ｉ、ＰＡ１０．Ｉ、ＰＡ１２．Ｉ、ＰＡ６．Ｔ／６、ＰＡ６．Ｔ／１０、ＰＡ６．Ｔ／１２、ＰＡ６．Ｔ／６．Ｉ、ＰＡ６．Ｔ／８．Ｔ、ＰＡ６．Ｔ／９．Ｔ、ＰＡ６．Ｔ／１０Ｔ、ＰＡ６．Ｔ／１２．Ｔ、ＰＡ１２．Ｔ／６．Ｔ、ＰＡ６．Ｔ／６．Ｉ／６、ＰＡ６．Ｔ／６．Ｉ／１２、ＰＡ６．Ｔ／６．Ｉ／６．１０、ＰＡ６．Ｔ／６．Ｉ／６．１２、ＰＡ６．Ｔ／６．６、ＰＡ６．Ｔ／６．１０、ＰＡ６．Ｔ／６．１２、ＰＡ１０．Ｔ／６、ＰＡ１０．Ｔ／１１、ＰＡ１０．Ｔ／１２、ＰＡ８．Ｔ／６．Ｔ、ＰＡ８．Ｔ／６６、ＰＡ８．Ｔ／８．Ｉ、ＰＡ８．Ｔ／８．６、ＰＡ８．Ｔ／６．Ｉ、ＰＡ１０．Ｔ／６．Ｔ、ＰＡ１０．Ｔ／６．６、ＰＡ１０．Ｔ／１０．Ｉ、ＰＡ１０Ｔ／１０．Ｉ／６．Ｔ、ＰＡ１０．Ｔ／６．Ｉ、ＰＡ４．Ｔ／４．Ｉ／４６、ＰＡ４．Ｔ／４．Ｉ／６．６、ＰＡ５．Ｔ／５．Ｉ、ＰＡ５．Ｔ／５．Ｉ／５．６、ＰＡ５．Ｔ／５．Ｉ／６．６、ＰＡ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ６．Ｔ／ＩＰＤＡ．Ｔ、ＰＡ６．Ｔ／ＭＡＣＭ．Ｔ、ＰＡ６．Ｔ／ＰＡＣＭ．Ｔ、ＰＡ６．Ｔ／ＭＸＤＡ．Ｔ、ＰＡ６．Ｔ／６．Ｉ／８．Ｔ／８．Ｉ、ＰＡ６．Ｔ／６．Ｉ／１０．Ｔ／１０．Ｉ、ＰＡ６．Ｔ／６．Ｉ／ＩＰＤＡ．Ｔ／ＩＰＤＡ．Ｉ、ＰＡ６．Ｔ／６．Ｉ／ＭＸＤＡ．Ｔ／ＭＸＤＡ．Ｉ、ＰＡ６．Ｔ／６．Ｉ／ＭＡＣＭ．Ｔ／ＭＡＣＭ．Ｉ、ＰＡ６．Ｔ／６．Ｉ／ＰＡＣＭ．Ｔ／ＰＡＣＭ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔならびにそれらのコポリマーおよび混合物から選択され、
好ましくは、前記ポリアミドは、ＰＡ６、ＰＡ６６、ＰＡ６６６およびＰＡ１２から選択され、特に前記ポリアミドはＰＡ６６である、請求項１から５のいずれか一項に記載のポリアミド組成物。
【請求項７】
成分Ｅが、
−  Ｃ２−Ｃ１０モノオレフィン、例えばエチレンまたはプロピレン、１，３−ブタジエン、２−クロロ−１，３−ブタジエン、ビニルアルコールおよびそのＣ２−Ｃ１０−アルキルエステル、塩化ビニル、塩化ビニリデン、フッ化ビニリデン、テトラフルオロエチレン、アクリル酸グリシジル、メタクリル酸グリシジル、分岐および非分岐Ｃ１−Ｃ１０アルコールのアルコール成分を有するアクリラートおよびメタクリラート、ビニル芳香族、例えばスチレン、アクリロニトリル、メタクリロニトリル、α，β−エチレン型不飽和モノおよびジカルボン酸、ならびに無水マレイン酸から選択される少なくとも１種のモノマーを含むホモポリマーまたは共重合形態のコポリマー；
−  ビニルアセタールのホモ−およびコポリマー；
−  ポリビニルエステル；
−  ポリカルボナート（ＰＣ）；
−  ポリエステル、例えばポリアルキレンテレフタラート、ポリヒドロキシアルカノアート（ＰＨＡ）、ポリブチレンサクシナート（ＰＢＳ）、ポリブチレンサクシナートアジパート（ＰＢＳＡ）；
−  ポリエーテル；
−  ポリエーテルケトン；
−  熱可塑性ポリウレタン（ＴＰＵ）；
−  ポリスルフィド；
−  ポリスルホン；
−  ポリエーテルスルホン；
−  セルロースアルキルエステル；
およびそれらの混合物から選択され、好ましくは、スチレンコポリマー、ポリアルキル（メタ）アクリラート、ポリカルボナートおよびそれらの混合物から選択される少なくとも１種のポリマーを含む、請求項１から６のいずれか一項に記載のポリアミド組成物。
【請求項８】
請求項１から７のいずれか一項に記載のポリアミド成形組成物から製造される成形物。
【請求項９】
少なくとも１種の合成ポリアミドＡ、少なくとも１種のクロム錯体染料Ｂ、カーボンブラックＣおよび任意に他の添加剤を、１６０〜３４０℃の範囲の温度に加熱しながら互いに混合する、請求項１から７のいずれか一項に記載のポリアミド組成物を製造する方法。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
約１５００から約３０００の重量平均分子量を有する約１０重量パーセントから約２０重量パーセントの乳酸オリゴマーまたはポリマー；
約１０，０００から約１８，０００の重量平均分子量を有する少なくとも約４０重量パーセントのポリ乳酸；
１もしくは複数のジオールと１もしくは複数のジカルボン酸との共重合から形成された約２０重量パーセントから約３５重量パーセントのポリエステル；および
酢酸ビニルと脂肪酸が４から１２個の炭素原子を有するモノ不飽和短鎖脂肪酸との約０．５重量パーセントから約５重量パーセントのコポリマー；
を含んでなり、すべての重量パーセントはホットメルト接着剤の総重量に基づく、ホットメルト接着剤。
【請求項２】
ホットメルト接着剤が、約１４３℃の温度で約１０００センチポイズから約６０００センチポイズの粘度を有する、請求項１に記載のホットメルト接着剤。
【請求項３】
乳酸オリゴマーまたはポリマーが、約２８０℃の温度で約３５０センチポイズから約４５０センチポイズの粘度を有する、請求項１に記載のホットメルト接着剤。
【請求項４】
ポリ乳酸が、約１４３℃の温度で約１８００センチポイズから約２２００センチポイズの粘度を有する、請求項１に記載のホットメルト接着剤。
【請求項５】
ポリ乳酸が、ポリ乳酸とカルボン酸またはカルボン酸誘導体との反応により形成されるポリマーキャッピング基をさらに含んでなる、請求項１に記載のホットメルト接着剤。
【請求項６】
ポリエステルが、約２１６℃の温度で約１５，０００センチポイズから約３５，０００センチポイズの粘度を有する、請求項１に記載のホットメルト接着剤。
【請求項７】
ポリエステルが、約５５，０００から約７２，０００の重量平均分子量を有する、請求項１に記載のホットメルト接着剤。
【請求項８】
ポリエステルが、ポリ乳酸とカルボン酸またはカルボン酸誘導体との反応により形成されるポリマーキャッピング基をさらに含んでなる、請求項１に記載のホットメルト接着剤。
【請求項９】
ポリエステルが、ポリブチレン（サクシネート−コ−アジペート）（“ＰＢＳＡ”）である、請求項１に記載のホットメルト接着剤。
【請求項１０】
モノ不飽和短鎖脂肪酸がクロトン酸である、請求項１に記載のホットメルト接着剤。
【請求項１１】
少なくとも第１面を有する基材；および
基材の第１面の少なくとも一部に適用されたホットメルト接着剤コーティング
を含んでなる接着剤被覆基材であって、
ホットメルト接着剤コーティングが：
約１５００から約３０００の重量平均分子量を有する約１０重量パーセントから約２０重量パーセントの乳酸オリゴマーまたはポリマー；
約１０，０００から約１８，０００の重量平均分子量を有する少なくとも約４０重量パーセントのポリ乳酸；
１もしくは複数のジオールと１もしくは複数のジカルボン酸との共重合から形成された約２０重量パーセントから約３５重量パーセントのポリエステル；および
酢酸ビニルと脂肪酸が４から１２個の炭素原子を有するモノ不飽和短鎖脂肪酸との約０．５重量パーセントから約５重量パーセントのコポリマー；
を含んでなり、すべての重量パーセントはホットメルト接着剤の総重量に基づく、前記基材。
【請求項１２】
ホットメルト接着剤が、約１４３℃の温度で約１０００センチポイズから約６０００センチポイズの粘度を有する、請求項１１に記載の接着剤被覆基材。
【請求項１３】
乳酸オリゴマーまたはポリマーが、約２８０℃の温度で約３５０センチポイズから約４５０センチポイズの粘度を有する、請求項１１に記載の接着剤被覆基材。
【請求項１４】
ポリ乳酸が、約１４３℃の温度で約１８００センチポイズから約２２００センチポイズの粘度を有する、請求項１１に記載の接着剤被覆基材。
【請求項１５】
ポリ乳酸が、ポリ乳酸とカルボン酸またはカルボン酸誘導体との反応により形成されるポリマーキャッピング基をさらに含んでなる、請求項１１に記載の接着剤被覆基材。
【請求項１６】
ポリエステルが、約２１６℃の温度で約１５，０００センチポイズから約３５，０００センチポイズの粘度を有する、請求項１１に記載の接着剤被覆基材。
【請求項１７】
ポリエステルが、約５５，０００から約７２，０００の重量平均分子量を有する、請求項１１に記載の接着剤被覆基材。
【請求項１８】
ポリエステルが、ポリ乳酸とカルボン酸またはカルボン酸誘導体との反応により形成されるポリマーキャッピング基をさらに含んでなる、請求項１１に記載の接着剤被覆基材。
【請求項１９】
ポリエステルが、ポリブチレン（サクシネート−コ−アジペート）（“ＰＢＳＡ”）である、請求項１１に記載の接着剤被覆基材。
【請求項２０】
モノ不飽和短鎖脂肪酸がクロトン酸である、請求項１１に記載の接着剤被覆基材。
【請求項２１】
ホットメルト接着剤の作成法であって：
約１４０℃から約１７５℃の温度で
約１５００から約３０００の重量平均分子量を有する約１０重量パーセントか
ら約２０重量パーセントの乳酸オリゴマーまたはポリマー；
約１０，０００から約１８，０００の重量平均分子量を有する少なくとも約４０重量
パーセントのポリ乳酸；
１もしくは複数のジオールと１もしくは複数のジカルボン酸との共重合から形
成された約２０重量パーセントから約３５重量パーセントのポリエステル；
および
酢酸ビニルと脂肪酸が４から１２個の炭素原子を有するモノ不飽和短鎖脂肪酸
との約０．５重量パーセントから約５重量パーセントのコポリマー；
を含んでなる混合物をメルトブレンドし、そして
さらに該混合物を、約１重量パーセントから約５重量パーセントのカルボン酸またはカルボン酸誘導体と約１４０℃から約１７５℃の温度でブレンドして、安定化されたホットメルト接着剤を提供する工程を含んでなり、すべての重量パーセントがホットメルト接着剤の総重量に基づく、前記作成法。
【請求項２２】
カルボン酸またはカルボン酸誘導体が、酸無水物を含んでなる、請求項２１に記載の方法。
【請求項２３】
ポリエステルが、約５５，０００から約７２，０００の重量平均分子量を有する、請求項２１に記載の方法。
【請求項２４】
ポリエステルが、ポリブチレン（サクシネート−コ−アジペート）（“ＰＢＳＡ”）である、請求項２１に記載の方法。
【請求項２５】
モノ不飽和短鎖脂肪酸がクロトン酸である、請求項２１に記載の方法。
【手続補正書】
【提出日】令和3年9月22日(2021.9.22)
【手続補正１】
【補正対象書類名】明細書
【補正対象項目名】０１４１
【補正方法】変更
【補正の内容】
【０１４１】
図５は、参考例ＰＡ１２及び比較例についてのものと比較した、実施例５及び６についての弾性率及び損失角デルタの正接（タンデルタ）に対応する損失係数又は減衰係数の変化のグラフを表す。図中、
・グラフ１：ＰＡ１２（Ａｒｋｅｍａ社から販売されているＯｒｇａｓｏｌ  ｉｎｖｅｎｔ  ｓｍｏｏｔｈ）；
・グラフ２：実施例５；
・グラフ３：実施例６；及び
・グラフ４：比較例。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
トランス−１，１，１，４，４，４−ヘキサフルオロ−２−ブテン及びＨＦＣ−２２７−ｅａを含む組成物。
【請求項２】
１重量％〜９９重量％のＨＦＣ−２２７ｅａ、好ましくは５重量％〜９５重量％のＨＦＣ−２２７ｅａ、より好ましくは１０重量％〜９０重量％のＨＦＣ−２２７ｅａを含む、請求項１に記載の組成物。
【請求項３】
１重量％〜９９重量％のトランス−１，１，１，４，４，４−ヘキサフルオロ−２−ブテン、好ましくは５重量％〜６０重量％のトランス−１，１，１，４，４，４−ヘキサフルオロ−２−ブテン、より好ましくは５重量％〜４０重量％のトランス−１，１，１，４，４，４−ヘキサフルオロ−２−ブテン、さらにより好ましくは５重量％〜２０重量％のトランス−１，１，１，４，４，４−ヘキサフルオロ−２−ブテン、及び最も好ましくは１０重量％〜２０重量％のトランス−１，１，１，４，４，４−ヘキサフルオロ−２−ブテンを含む、請求項１に記載の組成物。
【請求項４】
冷却を生じさせるための方法であって、請求項１〜３のいずれか一項に記載の組成物を含む冷媒を、冷却すべき液体又は物体の付近で蒸発させることを含む、方法。
【請求項５】
冷却を生じさせるためのプロセスであって、
（ａ）請求項１〜３のいずれか一項に記載の組成物を凝縮する工程と、
（ｂ）前記組成物を冷却すべき物体の付近で蒸発させる工程と、
を含む、プロセス。
【請求項６】
加熱を生じさせるための方法であって、請求項１〜３のいずれか一項に記載の組成物を含む冷媒を、加熱すべき液体又は物体付近で凝縮することを含む、方法。
【請求項７】
伝熱媒体を含む伝熱システムであって、前記伝熱媒体が、請求項１〜３のいずれか一項に記載の組成物を含む、伝熱システム。
【請求項８】
空調システム及び装置；市販の冷房システム及び装置；冷却装置、住宅用冷蔵庫及び冷凍庫、又はヒートポンプにおける、請求項１〜３のいずれか一項に記載の組成物の使用。
【請求項９】
有機ランキンサイクルシステムで廃熱を回収するためのプロセスであって、前記有機ランキンサイクルシステム中の作動流体が、請求項１〜３のいずれか一項に記載の組成物であり、
前記廃熱が、好ましくは、燃料電池、内燃機関、内部圧縮エンジン、外燃機関、及びタービンからなる群から選択される少なくとも１つにおいて生成されるか、又は、
前記廃熱が、好ましくは、精油業者、石油化学プラント、オイル及びガスパイプライン、化学工業、商業ビル、ホテル、ショッピングモール、スーパーマーケット、ベーカリー、食品加工業、レストラン、塗料硬化オーブン、家具製造、プラスチック成形業者、セメント窯、材木窯、焼成作業、鉄鋼業、硝子工業、鋳造所、製錬、空調、冷凍、並びにセントラルヒーティングから選択される作業と関連して生成される、プロセス。
【請求項１０】
有機ランキンサイクルを実施するための、請求項１〜３のいずれか一項に記載の組成物の使用。
【請求項１１】
火炎を消火又は鎮火するための方法であって、前記火炎に請求項１〜３のいずれか一項に記載の組成物を分配する工程を含む、方法。
【請求項１２】
火炎を防止又は抑制するためのシステムであって、請求項１〜３のいずれか一項に記載の組成物を含む容器と、前記組成物を前記火炎の予想される、又は前記火炎の実際の場所に向かって分配するためのノズルと、を含む、システム。
【請求項１３】
既存の冷媒の代替物としての請求項１〜３のいずれか一項に記載の組成物の使用であって、前記既存の冷媒が、ＣＦＣ−１１、ＣＦＣ−１２、ＣＦＣ−１１３、ＣＦＣ−１１４、ＣＦＣ−１１４ａ、ＨＣＦＣ−１２３、ＨＣＦＣ−１２４、ＨＣＦＣ−２２、ＨＦＣ−１３４ａ、ＨＦＣ−２３６ｆａ、ＨＦＣ−２４５ｆａ、Ｒ−４０４Ａ、Ｒ−４０７Ｃ、Ｒ−４０７Ａ、Ｒ−４０７Ｆ、Ｒ−４０７Ｈ、Ｒ４１０Ａ及びＲ５０７からなる群から選択される、使用。
【手続補正２】
【補正対象書類名】明細書
【補正対象項目名】００８５
【補正方法】変更
【補正の内容】
【００８５】
出願人らは、本発明による発泡体、特にポリウレタン発泡体などの熱硬化性発泡体の１つの利点は、特にかつ好ましくは低温条件下において、Ｋ−因子又はλによって測定できるような、並外れた熱性能を、好ましくは熱硬化性発泡体の実施形態について、達成する能力であることを見出した。本発明の発泡体、特に本発明の熱硬化性発泡体は、多種多様な用途で使用され得ることが想到されるが、特定の好ましい実施形態では、本発明は、冷蔵庫用発泡体、冷凍庫用発泡体、冷蔵庫／冷凍庫用発泡体、パネル発泡体、及び他の低温又は極低温製造用途などの、本発明による電化製品用発泡体を含む。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
膨張性の発熱性ゲル形成組成物であって、
第１および第２の金属性ガルバニック合金粒子、
少なくとも１種の遷移金属から構成される金属性二次シェル、ならびに
高吸収性ポリマーを含み、
第１および第２の金属性ガルバニック合金粒子、金属性二次シェル、ならびに高吸収性ポリマーが互いにブレンドされ、
ゲル形成組成物が、水および電解質に曝露されると、水和され、熱を所定の持続時間生成する発熱反応を引き起こすにつれて、膨張する、組成物。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
光吸収剤と、−ＣＯＯＨ官能基又は−ＯＨ官能基を有する熱分解性樹脂と、を含む光熱変換層と、
接着層と、
第１の除去可能なライナーと、
第２の除去可能なライナーと、
を含み、
前記熱分解性樹脂が、重量平均分子量が異なる２種類のアクリル樹脂を含み、
前記第１の除去可能なライナー、前記接着層、前記光熱変換層、及び前記第２の除去可能なライナーが、順次積層されている、接着フィルム。
【請求項２】
請求項１に記載の接着フィルムを準備することと、
前記第１のライナーを除去した後、前記接着層を基材に接着することと、
前記第２のライナーを除去した後、前記接着フィルムの前記光熱変換層を支持体に接着することと、
前記基材を加工することによって、加工された基材を形成することと、
前記支持体側から前記光熱変換層にレーザーを照射し、前記加工された基材から前記支持体を分離することによって、前記光熱変換層を分割することと、
除去テープ又は除去溶液を用いることによって、前記加工された基材から前記接着層を除去することと、
を含む、基材の加工方法。
【請求項３】
請求項１に記載の接着フィルムを形成する方法であって、
前記第１のライナー上に形成された接着層を準備することと、
前記第２のライナー上に形成された光熱変換層を準備することと、
前記第１のライナー上に形成された接着層を、前記第２のライナー上に形成された光熱変換層に積層することと
を含む、方法。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
ポリマー発泡体層と、前記ポリマー発泡体層に隣接する第１の感圧接着剤層と、を含む多層感圧接着剤アセンブリであって、前記ポリマー発泡体が、その中に分散された複数の活性炭粒子を含み、前記第１の感圧接着剤が、
ａ）式Ｍ−（Ｇ）ｐを有する直鎖状ブロックコポリマー［式中、Ｍは、重合オレフィン、重合共役ジエン、重合共役ジエンの水素化誘導体、又はこれらの任意の組合せを含むゴム状ブロックであり、各Ｇは、重合モノビニル芳香族モノマーを含むガラス状ブロックであり、ｐは１又は２である］と、
ｂ）少なくとも１種の炭化水素粘着付与剤と、
ｃ）２５℃より高いＴｇ及び１０００〜１００，０００ダルトンに含まれる重量平均分子量（Ｍｗ）を有する（メタ）アクリレートコポリマーであって、
（ｉ）単独重合したときに２５℃より高いＴｇを有する（メタ）アクリル酸エステルモノマー単位、及び
（ｉｉ）任意選択の単官能性エチレン性不飽和コモノマー単位
を含む（メタ）アクリレートコポリマーと、
ｄ）任意選択の、式Ｓｑ−Ｚを有する多腕ブロックコポリマーであって、
（ｉ）Ｓは前記多腕ブロックコポリマーの腕を表し、各腕は独立して式Ｇ−Ｎを有し、
（ｉｉ）ｑは腕の数を表し、少なくとも３の整数であり、
（ｉｉｉ）Ｚは多官能性カップリング剤の残基であり、
式中、各Ｎが、重合共役ジエン、重合共役ジエンの水素化誘導体、又はこれらの組合せを含むゴム状ブロックである、多腕ブロックコポリマーと、
ｅ）任意選択の、式Ｔ−（Ｇ）を有するジブロックコポリマー［式中、Ｔは、重合オレフィン、重合共役ジエン、重合共役ジエンの水素化誘導体、又はこれらの任意の組合せを含むゴム状ブロックである］と、
を含む、多層感圧接着剤アセンブリ。
【請求項２】
前記活性炭粒子が、実験の項に記載のＢＥＴ窒素吸収試験方法に従って測定した場合、１００〜２０００ｍ２／ｇに含まれる個別の比表面積を有する、請求項１に記載の多層感圧接着剤アセンブリ。
【請求項３】
前記ポリマー発泡体中の活性炭粒子の量が、前記ポリマー発泡体の重量を基準にして、１重量％〜２５重量％に含まれる、請求項１又は２に記載の多層感圧接着剤アセンブリ。
【請求項４】
前記ポリマー発泡体が、ポリアクリレート及びこれらの任意の組合せ又は混合物からなる群から選択されるポリマー系材料を含む、請求項１〜３のいずれか一項に記載の多層感圧接着剤アセンブリ。
【請求項５】
前記ポリマー発泡体が、
ａ）前記ポリマー発泡体の重量を基準にして、６０〜１００重量％の、直鎖状又は分枝鎖アルキル基を有する（メタ）アクリル酸エステルモノマーと、
ｂ）任意選択の、前記ポリマー発泡体の重量を基準にして、０〜４０重量％のアクリル酸モノマーと、
ｃ）任意選択の、前記ポリマー発泡体の重量を基準にして、０〜２０重量％の膨張性微小球、好ましくはペンタン充填膨張性微小球と、
を含む、請求項４に記載の多層感圧接着剤アセンブリ。
【請求項６】
（ａ）式Ｍ−（Ｇ）ｐを有する前記直鎖状ブロックコポリマーの前記ゴム状ブロックＭが、イソブチレンであるように選択されるオレフィン、又はイソプレン、ブタジエン、及びこれらの任意の組合せからなる群から選択される共役ジエンを含む、
（ｂ）式Ｍ−（Ｇ）ｐを有する前記直鎖状ブロックコポリマーの少なくとも１つのガラス状ブロックＧが、スチレン、スチレン相容性ブレンド、及びこれらの任意の組合せからなる群から選択されるモノビニル芳香族モノマーである、
（ｃ）前記（メタ）アクリレートコポリマーが、前記（メタ）アクリレートコポリマーが、８５〜９９．９重量％の、２５℃より高いＴｇを有する（メタ）アクリル酸エステルモノマー単位と、任意選択の、０．１〜１５重量％の単官能性エチレン性不飽和コモノマー単位とを含み、重量％が、前記（メタ）アクリレートコポリマーの全重量を基準とする、
（ｄ）式Ｓｑ−Ｚを有する前記多腕ブロックコポリマーの前記ゴム状ブロックＮが、イソブチレンであるように選択されるオレフィン、又はイソプレン、ブタジエン、及びこれらの任意の組合せからなる群から選択される共役ジエンを含む、
（ｅ）式Ｓｑ−Ｚを有する前記多腕ブロックコポリマーの前記ガラス状ブロックの少なくとも１つが、スチレン、スチレン相容性ブレンド、及びこれらの任意の組合せからなる群から選択されるモノビニル芳香族モノマーである、
とするとき、前記（ａ）ないし（ｅ）のいずれか少なくとも１つまたはそれらの任意の組み合わせを満たす、
請求項１〜５のいずれか一項に記載の多層感圧接着剤アセンブリ。
【請求項７】
前記第１の感圧接着剤が、
ａ）前記第１の感圧接着剤の重量を基準にして、２０重量％〜８０重量％の、式Ｍ−（Ｇ）ｐを有する直鎖状ブロックコポリマーと、
ｂ）前記第１の感圧接着剤の重量を基準にして、２０重量％〜７０重量％の前記炭化水素粘着付与剤と、
ｃ）前記第１の感圧接着剤の重量を基準にして、３重量％〜２５重量％の前記（メタ）アクリレートコポリマーと、
ｄ）前記第１の感圧接着剤の重量を基準にして、１重量％〜１５重量％の、任意選択の、式Ｓｑ−Ｚを有する前記多腕ブロックコポリマーと、
ｅ）前記第１の感圧接着剤の重量を基準にして、１重量％〜２０重量％の、任意選択の、式Ｔ−（Ｇ）を有する前記ジブロックコポリマーと、
ｆ）任意選択の、前記第１の感圧接着剤発泡体の重量を基準にして、０．１重量％〜１０重量％の架橋添加剤と、
を含む、請求項１〜６のいずれか一項に記載の多層感圧接着剤アセンブリ。
【請求項８】
前記ポリマー発泡体層と前記第１の感圧接着剤層との溶融共押出によって得られる、請求項１〜７のいずれか一項に記載の多層感圧接着剤アセンブリ。
【請求項９】
前記ポリマー発泡体層、前記第１の感圧接着剤層、及び任意選択の第２の感圧接着剤層を溶融共押出しする工程を含む、請求項１〜８のいずれか一項に記載の多層感圧接着剤アセンブリの製造方法。
【請求項１０】
工業用、内装用、建設市場用、自動車用、又は電子工学用である、請求項１〜９のいずれか一項に記載の多層感圧接着剤アセンブリ。